(57)【要約】【課題】土台と壁体と屋根とを含む茶室の構造を解体および組立の作業を行うことなく、トラック等の荷台でそのまま運搬可能とし、荷台の広さに合わせて広い間取りを取ることを可能にする。【解決手段】移動式茶室１は、土台２と壁体３と屋根４とを有している。土台２は、トラック等の荷台Ｎに積載可能な広さで形成される。壁体３は、土台２の外枠の上方に立ち上がって室内空間を仕切り、壁体３の所定箇所に躙り口、茶道口等の出入口Ｅ２を有している。屋根４は、壁体３の上方に山状に傾斜して形成され、その下端部に庇１１Ａ，１１Ｂが屋根４と等しい傾斜を保って設けられる。庇１１Ａ，１１Ｂは、屋根４の傾斜状態から壁体３に沿った垂下状態へ折り畳まれて荷台Ｎの広さに収まる。【選択図】図１０
2008101407.tif 000002
【特許請求の範囲】
【請求項１】
トラック等の荷台に積載可能な広さを有する土台と、
この土台の外枠の上方に立ち上げられて室内空間を仕切る壁体と、
前記壁体の所定箇所に設けられる躙り口、茶道口等の出入口と、
前記壁体の上方に設けられて山状に傾斜する屋根とを備えた移動式茶室であって、
前記屋根の庇は、前記屋根の傾斜状態から前記壁体に沿った垂下状態へ折り畳まれることを特徴とする移動式茶室。
【請求項２】
前記壁体の出入口の上方に庇を有する移動式茶室であって、
前記庇は、前記出入口の前下方へ突き出た傾斜状態から、前記壁体に沿った垂下状態へ折り畳まれることを特徴とする請求項１記載の移動式茶室。
【請求項３】
前記庇の内側から前記壁体に斜め下方に架け渡されて前記庇の傾斜状態を支持する支え柱と、
前記壁体の上下方向に前記庇を回動可能に連結する横ヒンジと、
前記壁体の水平方向に前記支え柱を回動可能に連結する縦ヒンジとを備え、
前記庇の折り畳み時には、前記支え柱が前記庇の内側に格納されることを特徴とする請求項１または２記載の移動式茶室。
【請求項４】
前記壁体の出入口の下方に踏み台を有する移動式茶室であって、
前記踏み台は、前記出入口の前方にほぼ水平に突き出した台面状態から前記壁体に沿って寄りかかる起立状態へ折り畳まれることを特徴とする請求項１〜３のいずれか一項記載の移動式茶室。
【発明の詳細な説明】
【技術分野】
【０００１】
本発明は、トラック等の荷台に載せて運搬するのに適した移動式茶室に関するものである。
【背景技術】
【０００２】
茶道の稽古をしたり、客を招いて茶を振る舞うための和風建築として茶室が知られている。茶室は、庭園の中に設けられることが多いが、ホテルや公会堂、商業ビルの一角などに造られることもある。
【０００３】
一方、草庵茶室に知られる３畳〜４畳半程度の茶室は、設置場所を定めずに施工を行い、完成した茶室を必要な場所に移動して用いることがある。例えば、各種のイベントや施設で仮設の茶室を使用する場合には、茶室の構造を一旦解体して目的の場所に運び、そこで元の状態に組み直している。
【０００４】
その他の移動式茶室としては、特許文献１に示すように、茶室の室内構造のみをユニット化して移動するようにするもの、また、特許文献２に示すように、土台と壁体と屋根とを含む茶室の全体構造を、解体せずにそのまま移動するものが提案されている。
【０００５】
【特許文献１】実開平７−１２０２７号公報
【特許文献２】特開２００２−３６４１９３号公報
【特許文献３】実開昭６１−１４００２２号公報
【発明の開示】
【発明が解決しようとする課題】
【０００６】
しかしながら、このような従来の移動式茶室では、次のような問題がある。
（１）茶室の構造を解体して運搬するものでは、解体および組立の作業の負担が大きく、茶室の設置に手間がかかる。
（２）また、茶室の室内構造のみをユニット化するものでは、屋外で天候の影響を受けやすく、また、茶道口や躙り口等の茶室特有の構造が存在しないため、本格的な茶室建築としては敬遠されがちになる。
（３）さらに、茶室の全体構造をそのまま移動するものでは、トラック等の荷台に茶室を載せると、屋根の庇が荷台からはみ出して運搬に支障を来すことがある。このため、土台の広さを庇の分だけ荷台よりも小さく設定することが必要で、茶室の間取りが狭くなってしまう。特に、３畳や４畳半といった基本的な間取りの茶室を運搬する際には、上記のような荷台の広さによる制限を受けやすく、茶室のサイズ変更を余儀なくされるという状況も生じている。
【０００７】
本発明は、このような現状に鑑みなされたもので、土台と壁体と屋根とを含む茶室の構造を解体および組立の作業を行うことなく、トラック等の荷台でそのまま運搬可能とし、荷台の広さに合わせて広い間取りを取ること可能にした移動式茶室を提供することを目的としている。
【課題を解決するための手段】
【０００８】
［第１発明］
上記課題を解決するための本発明の移動式茶室は、
トラック等の荷台に積載可能な広さを有する土台と、
この土台の外枠の上方に立ち上げられて室内空間を仕切る壁体と、
前記壁体の所定箇所に設けられる躙り口、茶道口等の出入口と、
前記壁体の上方に設けられて山状に傾斜する屋根とを備えた移動式茶室であって、
前記屋根の庇は、前記屋根の傾斜状態から前記壁体に沿った垂下状態へ折り畳まれる構成とした。
【０００９】
このような構成によれば、トラック等の荷台に移動式茶室を載せるとき、屋根の庇を折り畳んで壁体に沿った垂下状態とすることで、荷台からはみ出るのを回避することができる。このため、荷台の広さのほぼ最大限まで茶室の間取りを確保するとともに、茶室を荷台に載せて安全に目的の場所まで運搬することができる。
【００１０】
また、茶室を設置する場合には、折り畳んだ庇を元の傾斜状態に戻すだけでよく、茶室の解体や組立といった手間が掛からず、また、天候に左右されるともない。さらに、躙り口、茶道口等の茶室建築の特有な構造を自在に設けることもできる。
【００１１】
さらに、茶室によれば、トラック等の荷台に載せて容易に運搬することができるため、手間の掛かる建築であっても、その施工コストを抑えることができる。すなわち、職人が現場で作業することなく、施工開始から完了までを工場等で一括して行うことで、資材の運搬や職人の移動の時間を短縮することができる。これにより、高品質の茶室を一般家庭の敷地に安価で提供するといったことも容易に実現可能になる。
【００１２】
なお、庇の折り畳み構造としては、特許文献３に示すように、箱形のハウスの出入口の上方に水平に庇を吊り下げるものが知られるが、このような構造は、屋根自体の庇に適用されるものではない。また、山状の傾斜を有する屋根に適用する場合には、その庇の傾斜状態を屋根の傾斜に合わせるのは構造上困難である。
本発明は、山状の屋根の傾斜に沿って庇を設置することにより茶室としての和式屋根の外観を損なわず、また、庇を壁体に沿って折り畳み可能にすることで、トラック等の荷台の広さを有効に生かすという特許文献３にはない独自の効果を奏する。
【００１３】
［第２発明］
第２発明の移動式茶室は、前記壁体の出入口の上方に庇を有する移動式茶室であって、
前記庇は、前記出入口の前下方へ突き出た傾斜状態から、前記壁体に沿った垂下状態へ折り畳まれる構成とした。
【００１４】
このような構成によれば、茶室の屋根の庇に加えて躙り口、茶道口等の出入口の庇についても、壁体に沿って垂下状態に折り畳まれる。このため、トラック等の荷台で茶室を載せる際に、これらの出入口の庇が荷台の外側にはみ出て邪魔になるようなことが無くなる。この結果、荷台の広さを有効に使用することができ、茶室の積み卸し等の作業も容易になる。
【００１５】
［第３発明］
第３発明の移動式茶室は、
前記庇の内側から前記壁体に斜め下方に架け渡されて前記庇の傾斜状態を支持する支え柱と、
前記壁体の上下方向に前記庇を回動可能に連結する横ヒンジと、
前記壁体の水平方向に前記支え柱を回動可能に連結する縦ヒンジとを備え、
前記庇の折り畳み時には、前記支え柱が前記庇の内側に格納される構成とした。
【００１６】
このような構成によれば、庇の荷重を支え柱により壁体で受けることができ、庇の傾斜状態を安定させることができる。
また、庇を垂下状態に折り畳むときに、壁体の水平方向に支え柱を回動させて庇の下方に折り畳み、この支え柱の上に庇を折り畳むと、庇の内側に支え柱が格納される。これにより、庇の折り畳み状態で支え柱が邪魔にならず、茶室の運搬作業がさらに行いやすくなる。
【００１７】
［第４発明］
第４発明の移動式茶室は、
前記壁体の出入口の下方に踏み台を有する移動式茶室であって、
前記踏み台は、前記出入口の前方にほぼ水平に突き出した台面状態から前記壁体に沿って寄りかかる起立状態へ折り畳まれる構成とした。
【００１８】
このような構成によれば、トラック等の荷台に移動式茶室を載せる場合に、踏み台を折り畳んで壁体に沿った起立状態にして荷台の上にコンパクトに収めることができる。このため、踏み台付きの茶室の運搬を簡単にすることができる。また、起立状態の踏み台を倒せば簡単に元の状態に復帰することができるため、茶室の設置の作業も簡単に行うことができる。
【００１９】
［第１〜４発明］
本発明の移動式茶室は、例えば２〜４トン積車等の小型トラックの荷台に合わせて設計することが望ましい。一般的なサイズのトラックの荷台で茶室を運ぶことにより、その運搬コストを大幅に下げることができ、茶室の導入コストを抑えることができる。なお、本発明としてはこれらの既存サイズに限定されることなく、運搬用の荷台であれば、台車やコンテナ等であっても適用することができる。運搬車両については、普通車トラック、軽自動車トラックの他、トレーラ、列車等も含まれる。
本発明（第１〜４発明）は、単独で適用してもよいし、これらの発明を必要に応じて組み合わせて適用してもよい。また、本発明（第１〜４発明）に本明細書に記載される他の発明を組み合わせることもできる。
【発明を実施するための最良の形態】
【００２０】
以下、本発明の実施の形態を図面に基づいて説明する。
図１〜図３に実施形態による移動式茶室の斜視図を示した。図１は茶室１の正面左方向から観た斜視図、図２は茶室１を正面右方向から観た斜視図、図３は茶室１を背面左方向から観た斜視図である。
【００２１】
図１に示すように、茶室１は、基本的な構成として土台２と、壁体３と、屋根４とを有している。
土台２は、３畳〜４．５畳程度の間取りが収まる広さで、トラック等の荷台に載せやすい矩形の形状になっている。土台２を構成する外枠の内側に根太を張り、その上に床板と畳が敷かれる。畳の一角には炉が据え付けられる。
【００２２】
土台２の下方にはキャスタ６が固定される。平坦な路面に茶室１を下ろす場合には、茶室１を引っ張るか押すことで、キャスタ６を転がして茶室１を移動することができる。
【００２３】
壁体３は、土台２の外枠にほぼ垂直に立ち上げられて茶室１の室内空間を仕切る。土台２の四隅とその間に適度な間隔を保って柱を組み、各柱の間に壁板が張られている。
図１で茶室１の正面から観て左側面の壁体３に躙り口Ｅ１、正面に勝手口Ｅ２、図３に示す茶室１の背面に茶道口Ｅ３がそれぞれ設けられる。躙り口Ｅ１は、客人の使用する出入口、茶道口Ｅ３は、茶のお点前をする亭主（主人）が使用する出入口であり、勝手口Ｅ２はその他必要に応じて使用する出入口である。これらの出入口にはそれぞれ引き戸式の戸板が嵌まる。
【００２４】
躙り口Ｅ１の上方には、縦方向に等間隔の隙間をもつ連子窓８が設けられる（図１および図２参照）。また、壁体３の連子窓８と反対側の位置には同様な構成の連子窓９が設けられる。これらの窓は、竹材等の自然材料を用いて構成されるものであり、茶室建築として風合いを出すのに役立っている。
【００２５】
屋根４は、壁体３の上方に山状の傾斜をもって形成される切妻屋根である。屋根４の小屋組は、棟木、軒桁、垂木、梁等の木材を組んで構成され、下地板を張った上に金属瓦が葺かれている。金属瓦は、屋根４の軽量化を図り、茶室１の移動を行いやすくする。
【００２６】
屋根４の左右下端部には、それぞれ大庇１１Ａ，１１Ｂが屋根４の本体部分とは別個に形成される。これらの大庇１１Ａ，１１Ｂは、屋根４の本体部分の傾斜と同一の傾斜を保って一定の幅で斜め下方に延びる。大庇１１Ａ，１１Ｂの外側には、屋根４と同様な金属瓦が一定の方向に葺かれ、一見すると屋根４の本体部分と大庇１１Ａ，１１Ｂが一体的な形状であるかのように見える。
【００２７】
大庇１１Ａ，１１Ｂの下方には支え柱２１が設けられる。図４に示すように、支え柱２１は、大庇１１Ａの内側から壁体３の柱３６に斜め下方に架け渡されて大庇１１Ａの傾斜状態を支持している。このような支え柱２１が大庇１１Ａ，１１Ｂの長手方向の両端部と中間部にそれぞれ３本、合計６本設けられている。
【００２８】
躙り口Ｅ１、勝手口Ｅ２および茶道口Ｅ３の上方には、各出入口よりもやや幅の長い小庇１３，１４および１５が設けられる。これらの小庇１３〜１５も大庇１１Ａ，１１Ｂと同様に金属瓦で葺かれており、屋根４との統一感を損なわないような作りになっている。
【００２９】
小庇１３〜１５の下方には躙り口Ｅ１の両側、勝手口Ｅ２の片側、および茶道口Ｅ３の両側の位置に支え柱２２が設けられる。支え柱２２は、これらの庇の内側から壁体３に向けて斜め下方に架け渡され、小庇１３〜１５の傾斜状態を支持している。
【００３０】
大庇１１Ａ，１１Ｂと小庇１３〜１５の上端部には、横向きの回動軸をもつヒンジ（蝶番）が設けられる。図５に示すように、大庇１１Ａ，１１Ｂの上枠材３２に横ヒンジ３１の一端が固定され、壁体３の軒材３３に横ヒンジ３１の他端が固定される。小庇１３〜１５にも、これらの庇の上端と壁体３との間に横ヒンジ３１がそれぞれ固定される。これらの横ヒンジ３１により大庇１１Ａ，１１Ｂと小庇１３〜１５は下方に向けて回動する。
【００３１】
一方、支え柱２１と支え柱２２の下端部には、縦向きの回動軸をもつ縦ヒンジ３５が設けられる。図６に示すように、壁体３の柱３６に縦ヒンジ３５の一端が固定され、支え柱２１の下端に縦ヒンジ３５の他端が固定される。支え柱２１と支え柱２２は、縦ヒンジ３５により壁体３の水平方向に回動する。
【００３２】
大庇１１Ａ，１１Ｂと小庇１３〜１５は、上記の横ヒンジ３１と縦ヒンジ３５により折り畳み機構を備えている。すなわち、支え柱２１を縦ヒンジ３５により水平方向に倒して壁体３に沿った位置まで折り畳み、次いで、各庇を横ヒンジ３１により下方に回動させる。このような折り畳み操作により、大庇１１Ａ，１１Ｂと小庇１３〜１５とが傾斜状態から壁体３に沿った垂下状態に切り替わる。
なお、図１では、大庇１１Ａ，１１Ｂは傾斜状態、躙り口Ｅ１の小庇１３は垂下状態、勝手口Ｅ２の小庇１４は傾斜状態をそれぞれ示している。
【００３３】
ここで、支え柱２１，２２の回動方向については、大庇１１Ａ，１１Ｂおよび小庇１３〜１５の下方に隠れるように水平方向に倒れる。すなわち図７に示すように、小庇１４で示せば、幅方向の両端位置の支え柱２２が小庇１４の中央側に向けて倒れ、小庇１４の下側に隠れる。これにより、大庇１１Ａ，１１Ｂおよび小庇１３〜１５を傾斜状態から壁体３に沿った垂下状態に折り畳むと、支え柱２１，２２は各庇の内側に格納されることになる。なお、大庇１１Ａ，１１Ｂの中間位置の支え柱２１については、倒れる方向は左右いずれにしても庇の内側に隠れるため、その方向を一方に限定する必要はない。
【００３４】
図４および図８に示すように、支え柱２１，２２の上端部には閂錠２５が取り付けられる。これらの閂錠２５は、スライド軸と、庇側に設けられた鍵穴とを備えており、図８に示すように、スライド軸の先端２５ａを鍵穴に挿入すると、支え柱２１，２２が各庇の下方でロックされる。これにより、支え柱２１および２２を誤って押すようなことがあっても、支え柱２１および２２が倒れる心配がなく、大庇１１Ａ，１１Ｂおよび小庇１３〜１５の傾斜状態が安定的に保たれる。
【００３５】
勝手口Ｅ２および茶道口Ｅ３の下方には踏み台１７が取り付けられる。図９に示すように、土台２の枠材３８と、踏み台１７の枠材３９とに図示されないヒンジが固定されており、このヒンジによって踏み台１７が土台２の上下方向に回動可能になっている。茶室１の設置時には、図９に示す土台２の下方に基礎材を置き、茶室１を嵩上げすることで、踏み台１７が勝手口Ｅ２の前方にほぼ水平に突き出した台面状態になる。この状態から踏み台１７を持ち上げて上方に回動させると、壁体３に寄りかかって起立状態に切り替わる（図１参照）。
【００３６】
壁体３と踏み台１７の所定位置には留め具４１，４２が固定される。留め具４１，４２は、踏み台１７の起立状態で留め具４１先端の鍵部を留め具４２の止め穴に掛けて踏み台１７を壁体３側にロックする。これにより、茶室１の移動時に踏み台１７が起立状態から倒れることが防止される。
なお、図９では、勝手口Ｅ２の踏み台１７を示しているが、茶道口Ｅ３の踏み台１７も同様な構成を有する（図３参照）。
【００３７】
茶室１を運搬する場合、まず、大庇１１Ａ，１１Ｂと小庇１３〜１５を壁体３に沿った垂下状態に折り畳み、ロープ等で壁体３側に固定する。また、踏み台１７についても壁体３に沿った起立状態に折り畳み、留め具４１，４２で固定する。
【００３８】
このように大庇１１Ａ，１１Ｂ、小庇１３〜１５および踏み台１７を折り畳んだ状態で、図１０に示すように、トラックの荷台Ｎに茶室１を載せ、茶室１０の設置場所まで移動する。設置場所に到着後、荷台から茶室１を下ろし、角材、鉄骨、ブロック石等の基礎材を水平に敷き、この基礎材の上に茶室１を載せる。
その後、大庇１１Ａ，１１Ｂと小庇１３〜１５とを元の傾斜状態に戻して支え柱２１で支持し、踏み台１７を起立状態から水平な台面状態にすると、新たな設置場所に茶室１が完成する。
【００３９】
このように茶室１によれば、大庇１１Ａ，１１Ｂと小庇１３〜１５とを壁体３に沿った垂下状態に折り畳むことで、トラックの荷台に茶室１を載せるときに、大庇１１Ａ，１１Ｂおよび小庇１３〜１５が荷台からはみ出さない。また、踏み台１７も起立状態に折り畳めるので、荷台上にコンパクトに収まる。このため、これらの庇と踏み台の構造が運搬の支障にならず、安全に茶室１を移動することができる。また、荷台の広さを有効に生かして土台２を設計することができるため、茶室１に広い間取りをとることができる。
【００４０】
また、移動場所に新たに茶室を設置する場合には、折り畳んだ大庇１１Ａ，１１Ｂと小庇１３〜１５とを元の傾斜状態に戻し、踏み台１７を台面状態に戻すだけでよいから、茶室の解体や組立といった手間もなく、天候に左右されるともない。また、各出入口Ｅ１〜Ｅ３や連子窓８，９等の茶室建築の特有な構造を茶室１にそのまま再現することもできる。
【００４１】
さらに、茶室１によれば、運搬時に各庇が垂下状態に保たれるから、揺れや振動で元に戻る心配が少なく、安全面でも折り畳み構造の信頼性が高い。また、大庇１１Ａ，１１Ｂと小庇１３〜１５を折り畳むと、支え柱２１，２２が各庇の下方に格納されるため、茶室１の積み卸しの際に支え柱２１，２２が邪魔になることもない。
【００４２】
以上本発明の茶室１の構成を説明したが、本発明の実施形態はこれに限られることはなく、種々の変形を伴ってもよい。
例えば、屋根４の形状は、切妻屋根としているが、寄棟屋根、入母屋屋根等の茶室に適した形状を適宜選択することができる。大庇１１Ａ，１１Ｂと小庇１３〜１５は、全ての箇所に設ける必要はなく、必要に応じて省略してもよい。また、前記実施形態の連子窓９の上方に同様な折り畳み構造をもつ庇を追加することもできる。さらに、躙り口Ｅ１、勝手口Ｅ２および茶道口Ｅ３は、前記実施形態に限定されず、必要に応じて位置や数を変更してもよい
【図面の簡単な説明】
【００４３】
【図１】本発明の実施形態による移動式茶室を示す正面左方向斜視図である。
【図２】同移動式茶室を示す正面右方向斜視図である。
【図３】同移動式茶室を示す正面左方向斜視図である。
【図４】図１に示すIV部分の拡大斜視図である。
【図５】同移動式茶室の庇のヒンジを示す拡大斜視図である。
【図６】同庇を支持する支え柱のヒンジを示す拡大斜視図である。
【図７】同庇の折り畳み状態を示す模式図である。
【図８】図１に示すVIII部分の拡大斜視図である。
【図９】同移動式茶室の踏み台を示す斜視図である。
【図１０】同移動式茶室の運搬状態を示す模式正面図である。
【符号の説明】
【００４４】
１    移動式茶室
２    土台
３    壁体
４    屋根
６    キャスタ
８，９    連子窓
１１Ａ，１１Ｂ    大庇（屋根の庇）
１３〜１５    小庇（出入口の庇）
２１，２２    支え柱
３１    横ヒンジ
３５    縦ヒンジ
Ｅ１    躙り口（出入口）
Ｅ２    勝手口（出入口）
Ｅ３    茶道口（出入口）
【図１】
2008101407.tif 000003
【図２】
2008101407.tif 000004
【図３】
2008101407.tif 000005
【図４】
2008101407.tif 000006
【図５】
2008101407.tif 000007
【図６】
2008101407.tif 000008
【図７】
2008101407.tif 000009
【図８】
2008101407.tif 000010
【図９】
2008101407.tif 000011
【図１０】
2008101407.tif 000012